(57)【要約】【課題】化粧品を選定しようとする利用者に対して適切な情報を提供することのできる写真自動販売機を提供する。【解決手段】写真自動販売機は、化粧品に関する情報を記憶し、撮影した画像に対して、ユーザから指定された化粧品を用いて化粧を施したように化粧処理を行なう。そして、化粧を施したように化粧処理された撮影画像と、当該処理に用いた化粧品の商品名などの属性を表わす情報とを印刷媒体に印刷して提供する。【選択図】        図２４
2004228888.tif 000002
【特許請求の範囲】
【請求項１】
被写体の画像を取込む取込手段と、
化粧を施した状態を表わす状態情報と、前記化粧に用いた化粧品の属性情報とを含む化粧品情報を記憶する化粧品情報記憶手段と、
前記記憶されている状態情報を用いて、前記取込まれた被写体の画像を、前記化粧品を用いて化粧を施した状態とする化粧処理を行なう化粧手段と、
前記化粧処理された前記取込まれた被写体の画像と、前記属性情報であって前記化粧処理に用いた化粧品の属性情報とを、印刷媒体に印刷する印刷手段とを備える、写真自動販売機。
【請求項２】
前記化粧手段において用いる化粧品と、前記化粧処理を行なう箇所との指定をユーザから受付ける受付手段をさらに備え、
前記化粧手段は、前記記憶されている化粧品の状態情報であって、前記ユーザから指定された化粧品の状態情報を用いて、前記取込まれた被写体の画像のうち、前記指定された箇所に前記化粧処理を行なう、請求項１に記載の写真自動販売機。
【請求項３】
化粧方法を決定する化粧方法決定手段と、
化粧方法と、前記化粧方法での前記化粧処理において用いる前記化粧品情報とを対応付けて記憶する化粧方法記憶手段と、
前記化粧手段は、前記決定された化粧方法に対応付けて前記化粧方法記憶手段に記憶されている化粧品情報を用いて前記取込まれた被写体の画像に対して前記化粧処理を行なう、請求項１または２に記載の写真自動販売機。
【請求項４】
前記化粧方法決定手段は、ユーザから所望する化粧を施した状態のイメージの入力を受付けて、前記イメージに対応付けて記憶されている化粧方法を読出すことで決定する、請求項３に記載の写真自動販売機。
【請求項５】
前記印刷手段は、複数の前記被写体の画像と、前記画像に対する前記化粧処理において用いた前記化粧品の属性情報とを対応付けて印刷する、請求項１〜４のいずれかに記載の写真自動販売機。
【請求項６】
前記印刷手段は、前記被写体の画像と、前記画像に対する前記化粧処理において用いた前記化粧品の属性情報とを対にし、印刷された印刷媒体を前記被写体の画像ごとに分割しやすい構成で印刷することを特徴とする、請求項５に記載の写真自動販売機。
【請求項７】
前記印刷手段は、前記印刷媒体の縦横いずれの向きにも印刷可能であることを特徴とする、請求項１〜６のいずれかに記載の写真自動販売機。
【請求項８】
前記受付手段を複数備える場合に、前記印刷手段は、前記受付手段に対応付けて、前記化粧品の属性情報を印刷することを特徴とする、請求項２に記載の写真自動販売機。
【請求項９】
前記印刷手段は、複数の印刷媒体に印刷を行ない、第１の印刷媒体には前記被写体の画像を主に印刷し、第２の印刷媒体には前記化粧品の属性情報を主に印刷することを特徴とする、請求項１〜８のいずれかに記載の写真自動販売機。
【請求項１０】
前記化粧品情報を取得する取得手段をさらに備える、請求項１〜９のいずれかに記載の写真自動販売機。
【請求項１１】
前記取得手段は、通信手段を用いて他の装置から前記化粧品情報を取得することを特徴とする、請求項１０に記載の写真自動販売機。
【請求項１２】
前記化粧品の属性情報は、前記化粧品の製造メーカーの情報と、前記化粧品の商品名と、前記化粧品の価格と、前記化粧品の識別情報と、前記化粧品を用いて化粧を施す際のアドバイスと、前記化粧品の情報を提供しているウェブサイトへのアクセス情報との少なくとも１つを含む情報である、請求項１〜１１のいずれかに記載の写真自動販売機。
【請求項１３】
前記取込手段は、撮影された前記被写体の静止画像を取込み、
前記化粧手段は、前記静止画像に対して前記化粧処理を行なう、請求項１〜１２のいずれかに記載の写真自動販売機。
【請求項１４】
前記取込手段は、前記被写体の画像をリアルタイムに取込み、
前記化粧手段は、前記リアルタイムに取込まれる被写体の画像に対して前記化粧処理を行なう、請求項１〜１３のいずれかに記載の写真自動販売機。
【請求項１５】
化粧品を提供する化粧品提供手段をさらに備える、請求項１〜１４のいずれかに記載の写真自動販売機。
【発明の詳細な説明】
【０００１】
【発明の属する技術分野】
この発明は写真自動販売機に関し、特に、化粧品を選定しようとする利用者に対して適切な情報を提供することのできる写真自動販売機に関する。
【０００２】
【従来の技術】
コイン等の対価を投入して撮影を行ない、撮影した画像の色調を調整したり、タブレットペンなどの入力装置で撮影した画像に任意の画像（落書き、お絵描きなどと言う）の入力を行なう写真自動販売機が従来より広く知られている。
【０００３】
このような写真自動販売機においては、特に顔がきれいに表現されるような色調の調整がなされることが望まれている。そこで、写真自動販売機で撮影された画像の色調を調整することで、例えば被写体のにきびやしみなどを隠して肌をきれいに表現した写真を提供している。また、特許文献１においては、利用者が撮影画像に化粧を施して、自分の好みのプリント画像を印刷することのできる画像プリント作成装置が開示されている。
【０００４】
一方、女性が化粧品を選ぶ場合には、予め雑誌や化粧品メーカーの広告などから化粧品に関する情報を入手して、化粧品販売店で様々なサンプルを試し、また、店員から化粧方法のアドバイスなどを受けるなどして選ぶ場合が多い。このような化粧品に関する情報を提供する手段として、特許文献２においては、実際に顧客の顔に化粧料を塗ることなく当該シート上でメイクアップのシミュレーションを行なうことのできるメイクアップ化粧料用情報シートについて開示している。
【０００５】
【特許文献１】
特開２０００−６９４０４号公報
【０００６】
【特許文献２】
特許第２８３４４０６号公報
【０００７】
【発明が解決しようとする課題】
このような写真自動販売機の利用者は、一般的に女子中学生などの若い女性である場合が多い。そのよう女子中学生などは、化粧をしたいという願望があっても、化粧品販売店に足を運び難い場合がある。また、化粧品販売店に出向いても、化粧品の選定や化粧方法に戸惑い、適切な化粧品を選定することが難しい場合がある。また、時間や手間がかかるという問題があった。
【０００８】
上述の従来の写真自動販売機での画像調整は、被写体のにきびやしみなどを隠して肌をきれいに表現する程度のものであり、実際の化粧品を試すことはできず、このように化粧品を選定する利用者にとっては、満足な情報が得られないという問題があった。
【０００９】
また、特許文献１には、写真自動販売機で撮影された画像に対して化粧処理を施す技術について開示されているものの、実際に化粧品の選定を行なう上で必要な情報は提供されず、同様に化粧品を選定する利用者にとっては、満足な情報が得られないという問題があった。
【００１０】
さらに、上述の特許文献２に開示されているように、実際の顔ではなく顔を模式的に表わした化粧料塗布部で化粧料をシミュレートしても、実際の化粧品の購入を希望する者の顔ではないので、各個人ごとに異なる肌色や顔の構成に最適な化粧品を選ぶことが難しいという問題があった。
【００１１】
本発明はこれらの問題に鑑みてなされたものであって、利用者が気軽に利用できる写真自動販売機の特徴を活かし、化粧品を選定しようとする利用者に対して適切な情報を提供することのできる写真自動販売機を提供することを目的とする。
【００１２】
【課題を解決するための手段】
上記目的を達成するために、本発明のある局面に従うと、写真自動販売機は、被写体の画像を取込む取込手段と、化粧を施した状態を表わす状態情報と、化粧に用いた化粧品の属性情報とを含む化粧品情報を記憶する化粧品情報記憶手段と、記憶されている状態情報を用いて、取込まれた被写体の画像を、化粧品を用いて化粧を施した状態とする化粧処理を行なう化粧手段と、化粧処理された取込まれた被写体の画像と、化粧処理に用いた化粧品の属性情報とを、印刷媒体に印刷する印刷手段とを備える。
【００１３】
また、写真自動販売機は、化粧手段において用いる化粧品と、化粧処理を行なう箇所との指定をユーザから受付ける受付手段をさらに備え、化粧手段は、記憶されている化粧品の状態情報であって、ユーザから指定された化粧品の状態情報を用いて、取込まれた被写体の画像のうち、指定された箇所に化粧処理を行なうことが望ましい。
【００１４】
また、写真自動販売機は、化粧方法を決定する化粧方法決定手段と、化粧方法と、化粧方法での化粧処理において用いる化粧品情報とを対応付けて記憶する化粧方法記憶手段と、化粧手段は、決定された化粧方法に対応付けて化粧方法記憶手段に記憶されている化粧品情報を用いて取込まれた被写体の画像に対して化粧処理を行なうことが望ましい。
【００１５】
さらに、上述の化粧方法決定手段は、ユーザから所望する化粧を施した状態のイメージの入力を受付けて、イメージに対応付けて記憶されている化粧方法を読出すことで決定することが望ましい。
【００１６】
また、印刷手段は、複数の被写体の画像と、画像に対する化粧処理において用いた化粧品の属性情報とを対応付けて印刷することが望ましい。
【００１７】
さらに、印刷手段は、被写体の画像と、画像に対する化粧処理において用いた化粧品の属性情報とを対にし、印刷された印刷媒体を被写体の画像ごとに分割しやすい構成で印刷することが望ましい。
【００１８】
また、印刷手段は、印刷媒体の縦横いずれの向きにも印刷可能であることが望ましい。
【００１９】
さらに、受付手段を複数備える場合に、印刷手段は、受付手段に対応付けて、化粧品の属性情報を印刷することが望ましい。
【００２０】
また、印刷手段は、複数の印刷媒体に印刷を行ない、第１の印刷媒体には被写体の画像を主に印刷し、第２の印刷媒体には化粧品の属性情報を主に印刷することが望ましい。
【００２１】
また、写真自動販売機は、化粧品情報を取得する取得手段をさらに備えることが望ましい。
【００２２】
さらに、上述の取得手段は、通信手段を用いて他の装置から化粧品情報を取得することが望ましい。
【００２３】
また、化粧品の属性情報は、化粧品の製造メーカーの情報と、化粧品の商品名と、化粧品の価格と、化粧品の識別情報と、当該化粧品を用いて化粧を施す際のアドバイスと、化粧品の情報を提供しているウェブサイトへのアクセス情報との少なくとも１つを含む情報であることが望ましい。
【００２４】
また、上述の取込手段は、撮影された被写体の静止画像を取込み、化粧手段は、静止画像に対して化粧処理を行なうことが望ましい。
【００２５】
また、上述の取込手段は、被写体の画像をリアルタイムに取込み、化粧手段は、リアルタイムに取込まれる被写体の画像に対して化粧処理を行なうことが望ましい。
【００２６】
また、写真自動販売機は、化粧品を提供する化粧品提供手段をさらに備えることが望ましい。
【００２７】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２８】
図１は、本実施の形態における写真自動販売機の外観の具体例を示す図である。図１を参照して、本実施の形態における写真自動販売機は、パーソナルコンピュータ（以下、ＰＣという）１０１（図９参照）、プリンタ１２、および制御部１０２（基盤）（図９参照）などの各種機器類を収める筐体１と、筐体１と共に撮影ブース４を形成するパネル２と、フレーム材３とを含む。
【００２９】
このような写真自動販売機において、被写体であるユーザ１５は、筐体１、パネル２およびフレーム材３にて構成される撮影スペースである撮影ブース４内に入り、筐体１に相対する向きで撮影を行なう。なお、以降の説明において、便宜上、筐体１の紙面に対して左側の面（ユーザ１５から遠い側の面）を背面とする。また、筐体１の紙面に対して右側の面（ユーザ１５が相対する面）を正面とする。また、本実施の形態においては、被写体がユーザ１５であるものとして説明を行なうが、被写体はユーザ１５に限定されず、その他の物体であってもかまわない。また、被写体であるユーザ１５は、図１においては、１人であるものとして示されているが、複数のユーザ１５でプレイを実行することも可能である。
【００３０】
上述のパネル２が木製である場合には、パネル２は左側面（図１の手前側）、右側面（図１の奥側）、背面（図１の右側）、および天井面（図１の上側）などに大きく分割される。さらに、背面のパネル２は大きいことから、上下または左右に２枚に分割されている場合がある。また、撮影ブース４の内部となる、パネル２の内面は、照明の反射による間接光を得ることを目的とする場合は白色、逆に光を吸収させたいときは黒色、クロマキー合成を行なう目的のときは青色などの色彩が施される。すなわち、パネル２の内面の色は、写真自動販売機がどのような撮影を行なうかによって、設計開発時に適宜選ばれる。また、パネル２は、布またはビニール材等で代替することもでき、その場合には、フレーム材３にたるみなく張られた状態で固定される。
【００３１】
プリンタ１２は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、本実施の形態においては、プリンタ１２でシールが印刷されるものとして説明を行なうが、印刷媒体はシールに限定されず、上に示す他の印刷媒体であっても同様の処理が実行される。
【００３２】
さらに、撮影ブース４内には背景カーテン５が配備され、撮影時の背景として用いられる。背景の色によって、被写体の写り方、特に色調が変ってくるため、さまざまな色、柄のカーテンが複数枚用意されている。また、背景カーテン５が備えられていなくても構わない。さらに、背景カーテン５は、巻上げ式、引出し方式など、ユーザ１５の手動操作によりセットされてもよいし、操作部５１（図２参照）等を操作することで自動でセットされてもよい。また、背景カーテン５は、さまざまな種類が配備されることで、撮影における遊びの要素ともなり得る。
【００３３】
また、ユーザ１５が撮影ブース４内に出入りできるように、写真自動販売機の側面は開けられているが、撮影が妨げられないよう、また外部光を遮断するためなどの理由で、その側面にサイドカーテン６が備えられている。なお、撮影ブース４への出入りが一方の側面のみである場合には、その側面にのみサイドカーテン６が備えられる。また、両側面から出入りできる場合には、両側面にサイドカーテン６が備えられていてもよい。ユーザ１５は、撮影を行なう際には、このサイドカーテン６を開けて撮影ブース４に入り、撮影時はサイドカーテン６を閉める。なお、サイドカーテン６の裏面（撮影ブース４の内側）の色等は、背景カーテン５やパネル２内面と同様の理由で適宜選ばれる。
【００３４】
さらに、写真自動販売機の外側には、落書きブース５３とプリント取出口９とが備えられる。
【００３５】
落書きブース５３は、筐体１の背面に備えられる。落書きブース５３は、撮影により得られた画像を表示し、画像の編集を受付けるタブレットディスプレイ１３ａと、画像入力を行なうためのタブレットペン１４と、ユーザに対し音楽や操作方法の説明などを音声で出力するスピーカ２３ｃとを含んでいる。
【００３６】
プリント取出口９は、筐体１の側面に備えられ、箱型の形状を奏している。プリンタ１２でプリントされた写真は排出され、ここに落とされる。プリント取出口９は、そこに落とされた写真が、ユーザが手にするまで地面に落ちない等の作用を奏するものであれば、その形状は限定されない。例えば、筐体１の内部方向に窪んだ箱状の空間と筐体１の側面に沿う方向に取りつけられた蓋とで形成されていてもよい。そして、ユーザ１５は、プリント取出口９よりプリントされた写真を取出す。なお、プリント取出口９付近には、印刷中ＬＥＤ（Ｌｉｇｈｔ  ＥｍｉｔｔｉｎｇＤｉｏｄｅ）１０および印刷エラーＬＥＤ１１とが備えられ、それらが点灯あるいは点滅することによって、ユーザ１５は、印刷中であるという状態、あるいは印刷中に用紙切れ、インク切れ、用紙詰り、メカニカルエラーなどのエラーが発生しているという状態を知ることができる。
【００３７】
次に、図２に、上述の筐体１を正面（撮影ブース４内方向）から見た具体例を示す。
【００３８】
図２を参照して、筐体１の正面、すなわち被写体であるユーザ１５と相対する面には、カメラ２１と、モニタ２２と、デモンストレーション（以下、「デモ」と略す）音声や、ＢＧＭ、操作方法などのアナウンスを出力する図示されないスピーカ２３ａ，２３ｂと、デモ画面や撮影中の操作手順、ユーザ１５へのアナウンスなどを表示するディスプレイ１３ａと、対価である硬貨を投入すためのコイン投入口２６と、前面のメンテナンスなどを行なうためのフロントドア２８とが備えられる。
【００３９】
また、筐体１のカメラ２１の周囲には、蛍光灯やフラッシュなどを内蔵し、被写体の照明を行なうための照明ボックス１８ａ〜１８ｃが備えられている。また、筐体１の前面には、ユーザ１５からの操作を入力する操作部５１が備えられている。
【００４０】
カメラ２１で撮影された画像はリアルタイムにモニタ２２に表示され、これによりユーザは撮影により得られる画像を知ることができる。
【００４１】
カメラ２１としては、一般にデジタルカメラが用いられる。一般的なデジタルカメラで設定できる項目（たとえばシャッタスピード、絞り値、露出補正、ホワイトバランスなど）の変更や、撮影タイミングは、ＰＣ１０１（図９参照）から指示される。
【００４２】
さらに、筐体１の上面には、筐体１内部の熱を逃がすためのファンや、外部装置への画像の配信、リモートメンテナンスなどの、外部装置との通信を行なうときにケーブルを差込むためのＬＡＮ（Ｌｏｃａｌ  Ａｒｅａ  Ｎｅｔｗｏｒｋ）ケーブル差込口などが備えられていることが好ましい。なお、このようなファンは、筐体１内部の熱を逃がす目的で備えられるものであるため、筐体１の上面に限定されず、熱を発生しやすい機器類の近傍などの他の場所に備えられても、また複数備えられてもかまわない。また、ＬＡＮケーブル差込口が備えられる位置も、ケーブルの配線の取回しが容易な位置であれば筐体１の上面に限定されない。
【００４３】
次に、図３に、筐体１を背面（落書きブース５３方向）から見た具体例を示す。
【００４４】
図３を参照して、筐体１の背面側には、タブレットディスプレイ１３と、タブレットペン１４とが備えられる。さらに、図示しないスピーカが備えられていてもよい。
【００４５】
タブレットディスプレイ１３は、筐体１の撮影を行なう面とは逆の面に備えられるディスプレイであって、撮影後の画像を表示する。また、ユーザ１５より、撮影により得られた画像に対してタブレットペン１４を用いた編集入力（落書き）を受付ける。なお、タブレットペン１４は、ペン形状の入力装置であって、タブレットディスプレイ１３にタッチすることで、背景、スタンプ、フレームなどの画像や文字の入力、または使用する項目（ボタン）の選択、操作の選択などの入力をすることができる。
【００４６】
なお、上述の図２および図３に示した写真自動販売機の外観の具体例は、落書きブース５３側で以降に説明する化粧処理操作（以下、単に化粧と言う）を行なう場合の具体例である。そこで、本写真自動販売機の外観の他の具体例として、撮影ブース４側で化粧を行なう場合の具体例を図４に示す。すなわち、図４は、撮影ブース４側で化粧を行なう場合の、筐体１を正面（撮影ブース４内方向）から見た具体例を示す図である。
【００４７】
図４を参照して、この場合、カメラ２１およびモニタ２２の下方であってユーザ１５の手元にあたる個所に、ユーザ１５がタッチしやすい傾斜を伴なった段を設け、タブレットディスプレイ１３と、１つあるいは複数のタブレットペン１４とを備える。このタブレットディスプレイ１３とタブレットペン１４とは、上述の図３において、落書きブース５３側に備えられていたものと同様のものである。
【００４８】
なお、図４に示される写真自動販売機で、モニタ２２に替えてタブレットディスプレイ１３をさらに備え、カメラ２１の下方に備えられるタブレットディスプレイは化粧を行なうためのツール（以下、化粧ツールと言う）を表示し、当該表示された化粧ツールを用いて、モニタ２２に替わるタブレットディスプレイ１３に表示される画像に対して、以下に説明する化粧操作を行なってもよい。
【００４９】
また、他の具体例として、図５に示すように、２つのタブレットディスプレイ１３ｂ，１３ｃとを備えていてもよい。この場合には、左タブレットディスプレイ１３ｂは撮影された画像を表示し、右タブレットディスプレイ１３ｃは化粧ツールを表示する。そして、ユーザ１５は、以降に説明する化粧操作を左タブレットディスプレイ１３ｂに表示される撮影画像に行なう際に、右タブレットディスプレイ１３ｃに表示される化粧ツールを用いて行なう。
【００５０】
また、他の具体例として、図６に示すように、２つのタブレットディスプレイ１３ｂ，１３ｃと、２つのタブレットペン１４ｂ，１４ｃとを備えていてもよい。この場合には、ユーザ１５は、タブレットペン１４ｂを用いてタブレットディスプレイ１３ｂに対して操作を行ない、タブレットペン１４ｃを用いてタブレットディスプレイ１３ｃに対して操作を行なう、というように、２画面で並行して操作を行なう。このような構成は、ユーザ１５が複数のユーザからなる場合に有効である。
【００５１】
また、他の具体例として、図７に示すように、モニタ２２の横にタブレットペン１４を備え、モニタ２２がタブレットディスプレイ１３の機能を備えて、タブレットペン１４による入力を受付けてもよい。なお、その場合には、モニタ２２は、タブレットペン１４による入力が行ないやすいように、大型であることが好ましい。また、モニタ２２は、ユーザ１５がタブレットペン１４で入力を行ないやすいように、傾斜して備えられていてもよい。
【００５２】
また、他の具体例として、図８に示すように、２画面に分かれて化粧ツールを表示するタブレットディスプレイ１３ｄと、１つあるいは複数のタブレットペン１４とを備えていてもよい。この場合には、ユーザ１５は、以降に説明する化粧操作をタブレットディスプレイ１３の機能を備えたモニタ２２に表示されている撮影に行なう際に、タブレットディスプレイ１３ｄに表示される化粧ツールを用いて行なう。
【００５３】
なお、タブレットペン１４を以降に説明する化粧操作に用いる場合には、タブレットペン１４の形状は上に述べたようなペン形状に限定されず、化粧をイメージさせるようなリップブラシやチークブラシなどのブラシ形状であってもよい。
【００５４】
また、化粧ツールを表示するタブレットディスプレイ１３の形状もまた、図示されているような四角平面形状に限定されず、化粧用コンパクトや化粧用パレットをイメージさせる形状（立体形状を含む）であってもよい。
【００５５】
上述のように、本写真自動販売機において、化粧操作を行なう機能は、落書きブース５３側と撮影ブース４側とのいずれに備えられていても構わない。また、その両方に備えられていても構わない。さらに、図示されない筐体の側面に備えてもよい。以降の説明においては、特に記載しない限り、化粧操作を行なう機能が備えられている箇所は限定されず、いずれの箇所であってもよいものとする。
なお、撮影ブース４側で化粧操作を行なう場合には、上述の如くディスプレイ１３ａに替えてタブレットディスプレイ１３が備えられる。そこで、以降の説明においては、ディスプレイ１３ａをタブレットディスプレイ１３に含めて記載する。
【００５６】
次に、図９に、本実施の形態における写真自動販売機の機能ブロック図を示し、写真自動販売機の機能について説明する。
【００５７】
図９を参照して、写真自動販売機は、当該写真自動販売機を動作させるためのＰＣ１０１と、基板から構成され、動作中のＰＣ１０１からの指示を受付けて、接続されている各種装置を制御する制御部１０２とを備える。
【００５８】
上述のＰＣ１０１は、ＰＣ１０１の制御を行なう演算装置であるＣＰＵ（Ｃｅｎｔｒａｌ  Ｐｒｏｃｅｓｓｉｎｇ  Ｕｎｉｔ）と、装置を動作させるためのプログラムおよびプログラムで必要なグラフィックデータ、音声データ、撮影された画像や撮影画像に対して入力した編集画像その他の各種画像などを記憶する記憶装置と、プログラムの一時的な作業領域ともなるメモリと、カメラ２１、プリンタ１２、タブレットディスプレイ１３などの周辺機器を制御するためのソフトウェアであるドライバと、ＬＡＮケーブルを介して外部機器と接続された場合に通信を行なう通信部とを含む。なお、ＰＣ１０１は、電源スイッチ２９が押され、当該写真自動販売機に電源プラグより電源が投入されると、上記プログラムが起動されて動作する。
【００５９】
また、写真自動販売機は、電源を必要とするモニタ２２、スピーカ２３、および照明装置３０などの電源系統を制御する電源制御部１０３を備え、外部からそれらの装置に対する電源の電圧を安定させるよう制御する。さらに、そのような電源の投入および切断は、電源スイッチ２９を押すことで行なわれる。しかし、電源切断によりＰＣ１０１で動作しているプログラムを強制的に終了させることは、動作を不安定にさせる原因となる。そのため、電源が落とされても、しばらくはＵＰＳ（Ｕｎｉｎｔｅｒｒｕｐｔｅｄ  Ｐｏｗｅｒ  Ｓｕｐｐｌｙ）１０４が電源をバックアップし、ＰＣ１０１に停電信号を送信する。その間に、ＰＣ１０１はプログラムの終了の手続を行ない、プログラムを正常に終了させる。
【００６０】
上述の制御部１０２は、サービスパネル１０５から制御信号を受付ける。サービスパネル１０５は、投入されたコインの枚数をカウントするコインカウンタ、印刷されたプリントの枚数をカウントするプリントカウンタ、スピーカ２３から出力する音声のボリュームを調整する音量調整つまみ、テストモードを行なうためのテストボタン、コインを投入しなくても装置が利用できるようにするためのサービスボタン等を備えるパネルであって、当該写真自動販売機の設置者が各種設定やメンテナンスの操作を行なう際に用いる。
【００６１】
また、制御部１０２は、操作部５１、サービスパネル１０５、コイン制御部１０７からの信号を受付けＰＣ１０１に通知したり、逆に、ＰＣ１０１からの制御信号（指示コマンドなど）によりサービスパネル１０５、フラッシュ制御部（図示せず）、フラッシュ（図示せず）、コイン制御部１０７、印刷中ＬＥＤ１０、印刷エラーＬＥＤ１１を制御したりする。
【００６２】
コイン制御部１０７は、コイン投入口２６に投入されたコインの正当性を検出し、制御部１０２にコインが投入された信号を送る。逆に、コイン投入を禁止するときは、コイン制御部１０７は制御部１０２からの信号により、コインが投入されないようにコイン投入口２６をブロックすることができる。
【００６３】
サービスパネル１０５は、テストボタン、サービスボタンが押下された信号を制御部１０２に送る。逆に、制御部１０２からの信号により、コインカウンタ、プリントカウンタを動作させる（例えばカウンタを１インクリメントする）。また、ＰＣ１０１から出力される音声は、サービスパネル１０５上の音量調整つまみで調整された音量でスピーカ２３から出力される。
【００６４】
操作部５１は、操作部５１での入力信号を制御部１０２に送る。入力信号がＰＣ１０１に送信され、ＰＣ１０１では、操作内容に応じた処理が行なわれる。
【００６５】
さらに、プリンタ１２の状態がＰＣ１０１に通知され、ＰＣ１０１は、その状態に応じて制御部１０２に信号を送出する。その信号によって、印刷中ＬＥＤ１０または印刷エラーＬＥＤ１１が点灯または点滅する。
【００６６】
なお、言うまでもなく、写真自動販売機の形態は図１〜図９に示される具体例に限定されるものではない。すなわち、図１〜図９に記載されない他の機能が備えられていてもよいし、図１〜図９に記載されている機能の必ずしも全てが備えられていなくても構わない。例えば、プリンタ１２は写真自動販売機に含まれていなくてもよく、その場合、写真自動販売機は、ＬＡＮ等の専用回線や無線通信等を介して印刷制御信号をプリンタ１２に出力するものとする。
【００６７】
次に、図１０のフローチャートを用いて、本実施の形態における写真自動販売機での処理について説明する。本実施の形態における写真自動販売機は、上述のように、撮影画像に対して化粧処理を行なうことを特徴とする。ここで、化粧処理とは、撮影画像の顔領域の口や目や頬などの所定の領域に、指定された色彩やパールなどの質感を加えることで、撮影画像の顔領域に実際に化粧を行なったような効果を持たせる処理を指す。また、ここでの化粧処理は、化粧のみを表現した化粧画像と撮影画像とを重ね合わせて合成する処理であってもよい。
【００６８】
図１０のフローチャートに示される処理は、ＰＣ１０１のＣＰＵが、記憶装置に記憶されるプログラムをメモリに読出して実行することによって実現される。
【００６９】
まず、当該写真自動販売機に備わる電源スイッチ２９が投入されると、各種装置の電源が投入される。すると、ＰＣ１０１の記憶装置に格納された動作プログラムが起動する。ＰＣ１０１は、各種装置が正常に接続されているかチェックし、初期化が必要な装置に対しては初期化を行なう。その後、当該写真自動販売機の利用を促すタイトルデモをタブレットディスプレイ１３に表示し、同時に音声をスピーカ２３ａ，２３ｂから出力する（Ｓ１）。
【００７０】
タイトルデモが表示されている状態で、コイン投入口２６において、当該写真自動販売機を利用するためのコインの投入を受付ける（Ｓ２）。なお、上述のコインの受付けに代えて、タイトルデモ表示中にテストボタンを押下することによって、当該写真自動販売機のメンテナンスを行なうためのテストモードが起動する。
【００７１】
テストモードは、写真自動販売機の設置者が写真自動販売機を操作するためのモードであり、このモードにおいては当該写真自動販売機の利用状況（たとえばコイン投入数など）の確認や、カメラ２１、プリンタ１２など周辺機器の調整ができる。
【００７２】
ここで写真自動販売機の設置者とは、当該写真自動販売機を設置し営業を行なっている店舗などの経営者、管理者、および従業員であり、営業中に、利用者に対応できるものである。
【００７３】
ステップＳ２で受付けたコインは、コイン制御部１０７において正当性や枚数等が検知される。そして、正常にコインを受付けるとプレイが開始される。
【００７４】
まず、当該写真自動販売機における処理（プレイ）は、撮影から始まる。はじめに、カメラ２１が取得する画像を、モニタ２２にリアルタイムに表示する。ユーザ１５は、モニタ２２に表示される画像を見ながら、好みの表情やポーズをとることができる。なお、ここではカメラ２１が取得した画像をそのままモニタ２２に表示してもかまわないし、左右に反転処理して表示してもかまわない。左右に反転処理して表示した場合、ユーザ１５の姿を鏡に写す方向と同じ方向でモニタ２２に表示することができる。そのため、ユーザ１５は、モニタ２２を見ながら好みの表情やポーズをとることが容易になる。
【００７５】
次に、タブレットディスプレイ１３に図１１に具体例が示されるモード選択画面を表示し、ユーザ１５から、マニュアルモードあるいはオートモードの選択を受付ける（Ｓ３）。ステップＳ３においては、以降に行なう撮影処理と化粧処理と落書処理とを行なうためのモードの選択を受付ける。
【００７６】
マニュアルモードあるいはオートモードによる撮影処理と化粧処理と落書処理とが終了（Ｓ４，Ｓ５）すると、タブレットディスプレイ１３に図１２に具体例が示される明るさ調整画面を表示し、処理後の撮影画像に対して、明るさ調整を行なう（Ｓ６）。ここでは、化粧処理と落書処理とが行なわれた撮影画像を印刷するための画像調整を行なうもので、図１２に示されるように「超美白」、「美白」、「ふつう」などの明るさ調整を行なうことができる。また、明るさ調整以外に、ホワイトバランスの調整や、拡大や縮小、回転角度、その他の色合い、色相、輝度などの調整を行なってもよい。さらに、このとき、ユーザ１５から、シール等の印刷媒体に印刷する画像の選択や、編集入力に失敗した画像などを印刷しないような選択を受付けてもよい。なお、ここでの処理は、一般的な画像調整処理であるために、ここでは詳細な説明は行なわない。
【００７７】
また、上述の化粧処理において、化粧が施された撮影画像に対して画像の調整を行なうと化粧のイメージが変わってしまう場合もあるため、ステップＳ６の明るさ調整処理は行なわなくても構わない。
【００７８】
そして、図１３に示されるような印刷レイアウト選択画面をタブレットディスプレイ１３に表示し、ユーザ１５の選択を受付ける（Ｓ７）。図１３に示されるような印刷レイアウトは、選択された画像の枚数に応じて予め複数決められており、ＰＣ１０１の記憶装置などに記憶されている。ここでは、選択された画像に枚数に応じて、該当する印刷レイアウトをＰＣ１０１の記憶装置などから読出してタブレットディスプレイ１３に表示する。
【００７９】
印刷レイアウトの選択を受付けると、選択された印刷レイアウトにしたがって生成された印刷画像データをプリンタ１２に出力する。さらに、ユーザ１５をプリンタ１２の前に誘導するアナウンス（たとえば「シールは右から出るよ！」）をスピーカ２３またはタブレットディスプレイ１３より出力する。そして、プリンタ１２で印刷を実行する（Ｓ８）。なお、ここでは、印刷完了までに時間を要する場合が多いので、印刷処理の待ち時間にユーザ１５に対してゲームなどの遊戯を提供することが好ましい。本写真自動販売機においては、後に具体例を述べる口コミ入力処理やランキング入力処理など（Ｓ９，Ｓ１０）を受付けることが好ましい。
【００８０】
以上の処理が、１組のユーザ１５が本実施の形態の写真自動販売機で行なうプレイである。そして、上述の処理を終了すると、次にコインが投入されるまで、再度タイトルデモをスピーカ２３およびタブレットディスプレイ１３から出力する。
【００８１】
なお、上述の実施の形態では、１組のユーザ１５が利用する形態を説明したが、図１に示すとおり、撮影を行なう撮影ブース４と撮影された画像に編集を行なう落書きブース５３とが異なる場所に設置されていることから、２組の利用者が同時に利用することもできる。この場合、先の利用者が撮影を終了し落書きブース５３に移動すると、タブレットディスプレイ１３にはデモ画像が表示され、次の利用者のコイン投入を受付ける。そして、コインが投入されると、次の利用者の撮影が開始される。
【００８２】
また、このように２組の利用者が同時に利用する場合に、撮影や編集等の操作を制御するＰＣ１０１が１台では処理に負荷がかかってしまう場合もある。このため、撮影側の制御を行なうＰＣと編集側の操作を制御するＰＣとをそれぞれ設け、利用者の操作性を向上させることもできる。この場合、図９に示す機能ブロック図において、カメラ２１、モニタ２２など撮影にのみ必要なものは撮影側のＰＣに接続されて制御され、タブレットディスプレイ１３、プリンタ１２など編集にのみ必要なものは編集側のＰＣに接続されて制御される。また、制御部１０２、操作部５１、およびサービスパネル１０５など両方の操作に必要なものは、機能を分割して撮影側と編集側とのそれぞれのＰＣに接続されて制御されてもよいし、どちらか一方のＰＣに接続されて制御されてもよい。
【００８３】
さらに、上述のステップＳ４のマニュアルモード、およびステップＳ５のオートモードについて、フローチャートを用いて説明する。
【００８４】
上述のステップＳ４で、図１１に示されるモード選択画面において「マニュアルモード」を選択すると、図１４のフローチャートに示されるマニュアルモード処理が実行される。マニュアルモードは、撮影画像に対して、ユーザ１５の指示に応じて化粧を行なうモードである。
【００８５】
図１４を参照して、マニュアルモード処理を開始すると、始めに、図１５に具体例が示される撮影開始指示画面をタブレットディスプレイ１３に表示し、ユーザ１５から撮影開始の指示の入力を待つ（Ｓ１００）。
【００８６】
なお、ここでは、撮影方法のモードが複数ある場合には、その選択を受付けてもよい。すなわち、撮影開始に先立って撮影方法のモードの選択肢を操作用のディスプレイ１３に提示し、操作部５１のボタン等で好みの撮影モードをユーザ１５から受付け、選択された撮影モードで撮影を開始してもよい。
【００８７】
また、ここでは、撮影モードだけでなく、タブレットディスプレイ１３に表示される操作画面およびスピーカ２３ａ，２３ｂから流れる音声に従って、背景カーテン５の選択をしたり、カメラ２１を好みの位置に移動させたり、カメラ２１を回転、または向きを調整したりすることができる。これらの指示は、操作部５１などで受付ける。さらに、カメラ２１の近傍などにカメラ２１の向きやズーム等の指示を行なうボタンなどが備えられる場合には、それによってカメラ２１の向きやズーム等の指示を受付ける。
【００８８】
そして、ユーザ１５から撮影開始の指示を受付けると（Ｓ１０１）、受付けた撮影モードや背景カーテン５などで撮影を行なう（Ｓ１０２）。
【００８９】
撮影は、時間経過とともに「３、２、１」などのカウントダウンをディスプレイ１３あるいはスピーカ２３ａ，２３ｂに出力して自動で行なうことができる。また、カメラ２１の近傍に設けられた撮影ボタン（図示せず）を押下することで行なってもよい。
【００９０】
撮影は、ＰＣ１０１からカメラ２１に撮影信号が送信されることでシャッタが切られ、実行される。そして、規定の回数に達するまで、上述のステップＳ１００〜Ｓ１０２の処理を繰返し、撮影を繰返し行なう（Ｓ１０３）。なお、規定の回数に満たないうちでも、ユーザ１５から撮影終了の指示の入力を受付けることで、撮影を終了して次の処理に進んでもよい。また、ユーザ１５が撮影された写真を見て満足しない場合には、撮影のやり直しを行なってもよい。また、規定の回数ではなく、規定時間内に撮影を行なってもよい。
【００９１】
撮影が終了すると（Ｓ１０３でＹＥＳ）、図１６に具体例が示される写真選択画面をタブレットディスプレイ１３に表示し、ユーザ１５から以降の処理に用いる撮影画像の選択を受付ける（Ｓ１０４）。なお、以降の処理を行なう場所が、図２および図３に示されているように撮影ブース４とは異なる場合には、ユーザ１５に対して、落書きブース５３へ移動するように促がす案内をタブレットディスプレイ１３に表示することが好ましい。案内に従って、ユーザ１５は落書きブース５３へ移動し、以降の操作を落書きブース５３で行なう。
【００９２】
次に、図１７に具体例が示される化粧画面２００をタブレットディスプレイ１３に表示し、ユーザ１５からの化粧操作を受付ける（Ｓ１０５）。
【００９３】
図１７を参照して、化粧画面２００は、ステップＳ１０４で選択された撮影画像を選択可能に表示する撮影画像指定領域２１０と、指定された撮影画像を表示し、当該撮影画像に対して化粧処理を行なう化粧画像表示領域２２０と、化粧箇所指定ボタン２３０と、下地指定ボタン２４０と、各化粧箇所あるいは下地化粧において用いるツールを選択する化粧ツール選択ボタン２５０と、詳細表示領域２６０と、施した化粧を消すための「消しゴム」や、画像を拡大／縮小するための「拡大／縮小」や、実行した化粧操作を１つ前の状態に戻すための「ひとつ戻る」や、化粧操作を最初からやり直すための「はじめから」や、化粧操作を終了させる「おしまい」などの操作ボタン２７０と、操作時間の残り時間を表示する時間表示領域２８０と、落書処理へ処理を進めるための落書ボタン２９０とを含んで構成される。
【００９４】
ステップＳ１０５で化粧操作を行なう際、図１７に示される化粧画面２００において、始めに、撮影画像指定領域２１０に選択可能に表示されている撮影画像から、化粧を行なう撮影画像をタブレットペン１４でタッチして指定する。指定された撮影画像は、化粧画像表示領域２２０に表示される。
【００９５】
次に、「口」、「目」、および「頬＆顔」などの化粧箇所指定ボタン２３０で、化粧を行なう顔の箇所を選択する。化粧箇所が選択されると、当該箇所の化粧に用いることのできるツールが化粧ツール選択ボタン２５０として表示される。図１７においては、「口」の化粧箇所指定ボタン２３０を選択した場合の具体例が示されており、その場合、化粧ツール選択ボタン２５０として、「口紅」、「グロス」、および「リップライナー」などの化粧ツールが表示される。また、「目」の化粧箇所指定ボタン２３０を選択した場合には、化粧ツール選択ボタン２５０として、「アイライナー」、「アイシャドウ」、「マスカラ」、および「アイブロウ」などの化粧ツールが表示される。
【００９６】
このような化粧ツールは、化粧箇所と対応付けられてＰＣ１０１の記憶装置などに記憶されており、化粧箇所指定ボタン２３０で選択された化粧場所に応じて、ＰＣ１０１のＣＰＵは記憶装置から読出して化粧画面２００に表示させる。
【００９７】
さらに、化粧ツールが選択されると、当該化粧ツールで選択可能な具体的な商品である化粧品が、選択可能に詳細表示領域２６０に表示される。図１７においては、「口紅」の化粧ツールを選択した場合の具体例が示されており、詳細表示領域２６０に、具体的な商品である口紅が、ブランド名や商品番号や価格などの属性情報と共に選択可能に表示され、タブレットペン１４でタッチすることで選択することができる。さらに、詳細表示領域２６０には、具体的な商品の色彩や質感などの当該化粧品を用いて化粧を施した状態を表わす状態情報が、ブランド名などの属性情報と共に選択可能に表示されてもよい。また、ここで化粧ツールで選択可能な具体的な商品である化粧品を選択すると、当該商品についてのさらに詳細な状態情報や、当該商品の広告や、当該商品を取扱っている店舗の紹介などが表示されてもよい。さらに、ここでは、選択された化粧品を用いて化粧を施す量や太さや面積などの選択を受付けてもよい。
【００９８】
このような化粧ツールにおいて用いられる化粧品の色彩や質感などの当該化粧品を用いて化粧を施した状態を表わす状態情報と、ブランド名や価格や商品番号などの属性情報とは、各化粧ツールごとに対応付けられてＰＣ１０１の記憶装置などに記憶されており、化粧ツール選択ボタン２５０で選択された化粧ツールに応じて、ＰＣ１０１のＣＰＵは記憶装置から読出して化粧画面２００に選択可能に表示させる。さらに、このような具体的な化粧品の情報は、予めＰＣ１０１の記憶装置などに格納されている情報であってもよいし、当該写真自動販売機が通信機能を備えている場合には、外部の装置から受信して格納してもよいし、当該写真自動販売機がＣＤ−ＲＯＭ（Ｃｏｍｐａｃｔ  Ｄｉｓｃ−Ｒｅａｄ  Ｏｎｌｙ  Ｍｅｍｏｒｙ）やフレキシブルディスクなどの記録媒体の読込装置を備えている場合には、記録媒体から読込んで格納してもよい。化粧品は流行性に富み、また季節によって変化するものでもあるため、このように、外部の装置や記録媒体から最新の商品の情報を取得することが好ましい。
【００９９】
図１７に示される化粧画面において下地化粧を行なうための下地指定ボタン２４０が選択された場合も、上述と同様の処理が実行される。すなわち、化粧ツール選択ボタン２５０に、下地化粧において用いる、「パウダーファンデーション」、「リキッドファンデーション」、および「コンシーラ」などの化粧ツールが表示される。そして、その中から化粧ツールが選択されると、当該化粧ツールで選択可能な具体的な商品である化粧品が、選択可能に詳細表示領域２６０に表示される。
【０１００】
用いる化粧品が選択されると、化粧画像表示領域２２０に表示されている撮影画像の選択された化粧箇所に、選択された化粧品の色彩あるいは質感などを施す処理を行なう。ここでは、画像解析技術を用いて、撮影画像の顔領域から化粧箇所に該当する領域を抽出する。例えば、化粧箇所が口である場合には、撮影画像から唇に該当する領域を色彩情報に基づいて抽出し、当該領域に、選択された化粧品（口紅など）の色彩あるいは質感などを施すように化粧処理を行なう。
【０１０１】
あるいは、化粧画像表示領域２２０に表示される撮影画像に対して、化粧箇所に含まれる領域をタブレットペン１４でタッチすることで化粧箇所を選択してもよい。例えば、同様に化粧箇所が「口」である場合には、タブレットペン１４で撮影画像の内の唇領域の一部にタッチすることで、その部分の色彩情報に基づいて撮影画像からその部分を含む唇領域を抽出し、当該領域に、選択された化粧品（口紅）の色彩あるいは質感などを施すように化粧処理を行なう。
【０１０２】
また、化粧画像表示領域２２０に表示される撮影画像に対して、化粧箇所に該当する領域をタブレットペン１４でタッチすることで選択してもよい。例えば、化粧箇所が「頬＆顔」である場合には、タブレットペン１４で撮影画像の内の化粧処理を行ないたい頬領域にタッチすることで、その部分の色彩情報に基づいて撮影画像からその部分を含む頬領域を抽出し、当該頬領域内であってタッチされた部分付近の領域に、選択された化粧品（チーク）の色彩あるいは質感などを施すように化粧処理を行なう。
【０１０３】
また例えば、化粧箇所が「頬＆顔」である場合には、タブレットペン１４で撮影画像の頬領域の内の化粧処理を行ないたい部分にタッチして走らせることで、当該タッチされた部分に、選択された化粧品（チーク）の色彩あるいは質感などを施すように化粧処理を行なう。なお、この場合には、化粧箇所に該当する領域を抽出する処理は行なわなくてもよい。
【０１０４】
このようのすることによって、実際にブラシなどを用いてチークなどの化粧品を用いて任意の部分に化粧を施している効果を得ることができる。また、「コンシーラ（しみ隠し）」などの化粧ツールで化粧処理を行なう場合など、画像解析でしみやほくろなど適切な化粧箇所を抽出することが難しいときや、ユーザが特に当該化粧を施したいと思う箇所がある場合などに有効である。
【０１０５】
また、このように化粧箇所に該当する領域をタブレットペン１４でタッチすることで、選択された化粧品を用いて化粧を施す量や太さや面積などの選択を受付けてもよい。すなわち、タブレットペン１４でタッチされる回数に応じて、当該化粧品を用いて化粧を施す量や太さや面積などを増加させていくこともできる。
具体的には、化粧箇所が「口」であって、化粧ツールが「口紅」である場合には、タブレットペン１４で撮影画像の内の唇領域の一部に２回タッチすることで、その部分の色彩情報に基づいて撮影画像からその部分を含む唇領域を抽出し、当該領域に、選択された化粧品（口紅）の色彩あるいは質感などを、１回タッチした場合よりも多く施すように化粧処理を行なう。また、すでに化粧処理を施している化粧箇所に再度タッチすることで、その上からさらに化粧処理を行なってもよい。このようにすることによって、実際に口紅やチークなどの化粧品を複数回用いて化粧を施しているような効果を得ることができる。
【０１０６】
具体的な化粧処理としては、以下の画像処理が挙げられる。すなわち、撮影画像と選択された化粧品の色彩や質感などを表わす画像であって、化粧箇所に該当する領域と同じ形状の画像（以下、化粧画像と言う）とをそれぞれ別の画層（レイヤ）に展開し、タブレットディスプレイ１３上に、撮影画像の上に化粧画像を重ねて表示する。その際、化粧画像を展開する画層は所定の透過度を備え、その下に存在する撮影画像を展開する画層を所定の割合で表示させることが好ましい。これにより、化粧画像の下にある唇やアイラインなどの色彩が化粧の色彩や質感の下に表示され、実際に化粧を施したような効果を得ることができる。
【０１０７】
化粧画像は、前述のＰＣ１０１の記憶装置などに記憶されている当該化粧品についての状態情報を読出し、その状態情報に基づいて生成される。
【０１０８】
さらに、化粧画像は、下地化粧の層、口領域の化粧の層、目領域の化粧の層など、それぞれ複数の画層で構成されていてもよい。また、それぞれの透過度が異なっていることが好ましい。このような透過度を備える画像を合成する処理は、例えばアルファ・ブレンディング技術などを用いて実現することができる。
【０１０９】
なお、本写真自動販売機が図５に示すようにタブレットディスプレイ１３ｂ，１３ｃを備え、片方のタブレットディスプレイ１３に化粧ツールを表示する場合には、左タブレットディスプレイ１３ｂには、図１８に具体例が示される、撮影画像指定領域２１０と化粧画像表示領域２２０とを含んで構成される化粧画面２００ｂが表示され、右タブレットディスプレイ１３ｃには、図１９に具体例が示される、主に化粧ツール選択ボタン２５０と詳細表示領域２６０とを含んで構成される化粧画面２００ｃが表示される。このような化粧画面２００ｂ，２００ｃは、本写真自動販売機が図８に示すように２画面に分かれて化粧ツールを表示するタブレットディスプレイ１３ｄを備える場合にも、２画面に分かれたタブレットディスプレイ１３ｄの各々の画面に表示される。
【０１１０】
さらに、図１７に具体例が示される化粧画面において落書ボタン２９０を選択することで、ステップＳ１０５において、図２０に具体例が示される落書画面をタブレットディスプレイ１３に表示し、ユーザ１５からの落書操作を受付ける。
【０１１１】
一般に、タブレットペン１４とタブレットディスプレイ１３とはケーブルで接続されて対応付けられていることが多い。しかし、図５に示すような複数のタブレットディスプレイ１３ｂ，１３ｃに対してタブレットペン１４で入力を行なう場合には、タブレットペン１４に接続されたケーブルが分岐し、タブレットディスプレイ１３ｂ，１３ｃに各々接続される。このことによって、１つのタブレットペン１４で複数のタブレットディスプレイ１３ｂ，１３ｃに対して入力を行なうことができる。
【０１１２】
図２０に示される表示される落書画面には、撮影された画像と入力する画像とを切換えるためのボタンや、画像を切換えて編集を行なうための「フレーム」「ライン」「スタンプ」「ペン」、入力した画像を消すための「消しゴム」、入力操作を１つ前の状態に戻すための「ひとつ戻る」、画像入力を最初からやり直すための「はじめから」、などのボタンを表示する。ユーザ１５は、これらのボタンをタブレットペン１４で押すことで落書処理に用いるツールを選択する。さらに、色、柄などを選択した後、表示された撮影画像上で落書きの入力を行なう。
【０１１３】
具体的な落書処理としては、上述の化粧処理と同様の画像処理が挙げられる。すなわち、撮影画像と落書入力された画像とをそれぞれ別の画層に展開し、タブレットディスプレイ１３上にそれら画層を重ねて表示する。それぞれの画層のどちらを上に表示するかは、用途により設定されている。例えば、編集入力された画像を撮影された画像の前景画像とする場合には、編集入力された画像が上の画層となる。
【０１１４】
さらに編集入力された画像は、スタンプ画像の層、フレーム画像の層など、それぞれ複数の画層で構成されていてもよい。
【０１１５】
また、化粧画像と落書入力された画像とを展開する画層を各々別個の画層とすることで、化粧処理において入力可能な領域と、落書処理において入力可能な領域とを区別できるようにしてもよい。具体的には、撮影画像より顔領域を抽出し、抽出された顔領域のみを化粧処理において入力可能な化粧画像を展開する画層とし、顔領域以外を落書処理において入力可能な落書入力された画像を展開する画層とすることで、各々の処理において入力可能な領域を区別することができる。さらに、このような各々の処理において入力可能な領域は、自動的に抽出されて決定されるものであってもよいし、ユーザからの入力によって決定されるものであってもよい。
【０１１６】
このようなステップＳ１０５における化粧処理や落書処理を行なうための操作時間は予め設定されている。図１７に示される化粧画面２００において示される時間表示領域２８０や、図２０に示される落書画面の時間表示領域に残り時間を表示し、カウントダウンを行なう。残り時間が０になると化粧処理および落書処理を終了する。または、画面に用意された「おしまい」ボタンが選択されることで強制的に終了してもよい。
【０１１７】
以上で、図１４に示されるマニュアルモード処理を終了し、処理を図１０のステップＳ６に戻す。
【０１１８】
本写真自動販売機においてこのようなマニュアルモード処理を実行することによって、ユーザ１５は所望する化粧品を任意に用いて化粧された顔の写真を得ることができる。そのため、化粧を初めて行なうような不慣れなユーザであっても、カメラ２２で撮影された自分の顔画像に対して、時間や労力を必要とせず、また、周りの視線を気遣うことなく、気軽に化粧を試すことができる。
【０１１９】
一方、上述のステップＳ４で、図１１に示されるモード選択画面において「オートモード」を選択すると、図２１のフローチャートに示されるオートモード処理が実行される。オートモードは、撮影画像に対して、ユーザ１５の指示した化粧を自動的に行なうモードである。
【０１２０】
図２１を参照して、オートモード処理を開始すると、ステップＳ２００〜Ｓ２０４において、上述のマニュアルモード処理におけるステップＳ１００〜Ｓ１０４の処理と同様の処理を実行する。すなわち、ステップＳ２００〜Ｓ２０３において所定回数（あるいは所定時間、あるいは終了の指示があるまで）ユーザ１５の写真を撮影し、ステップＳ２０４において、撮影画像の中から化粧処理および落書処理に用いる撮影画像の選択を受付ける。なお、ここでの処理は、上述の処理と同様であるため、説明を繰返さない。
【０１２１】
ユーザ１５から撮影画像の中から化粧処理および落書処理に用いる撮影画像の選択を受付けると、図２２に具体例が示される化粧選択画面をタブレットディスプレイ１３に表示し、ユーザ１５から、各撮影画像に対する化粧方法である化粧モードの選択を受付ける（Ｓ２０５）。
【０１２２】
図２２を参照して、化粧選択画面は、撮影画像を表示する撮影画像表示領域と、当該撮影画像に対する化粧モードであって、「かわいく」、「大人っぽく」、「Ｂ系」、「お姉系」、および「ギャル系」などの化粧モード選択ボタンと、各撮影画像に対する化粧モードを決定する決定ボタンと、操作時間の残り時間を表示する時間表示領域とを含んで構成される。
【０１２３】
なお、オートモードにおいて化粧モードを決定する方法は化粧モード設定ボタンにタブレットペン１４でタッチする方法に限定されず、アンケート形式のいくつかの質問に対して「ＹＥＳ」あるいは「ＮＯ」をタブレットペン１４でタッチして答えることで、その答えの組合わせに応じて決定されるものであってもよい。
【０１２４】
また、化粧モードを決定する他の方法として、撮影画像の色彩、特にユーザ１５の服装やバッグや目や髪などの色彩を解析し、その色彩に応じて決定されるものであってもよい。この場合、色彩と対応付けられて予めＰＣ１０１の記憶装置などに記憶されている化粧モードを読出して決定する。
【０１２５】
ステップＳ２０５で、図２２に示す化粧選択画面において、化粧モードの選択を受付けると、次に、図２３に示す化粧画面２００ｄを表示し、当該化粧画面２００ｄにおいて、撮影画像に、選択された化粧モードで自動的に化粧処理を行なう（Ｓ２０６）。
【０１２６】
図２３に示す化粧画面２００ｄは、オートモード処理において表示される化粧画面であって、ステップＳ２０５で選択された撮影画像を表示する撮影画像表示領域２１１と、化粧処理を行なう撮影画像を表示する化粧画像表示領域２２０と、化粧箇所指定ボタン２３０と、下地指定ボタン２４０と、各化粧箇所あるいは下地化粧において用いるツールを表示する化粧ツール選択ボタン２５０と、詳細表示領域２６０とを含んで構成される。
【０１２７】
化粧モードに対応付けられて、化粧箇所ごとに化粧品の種類や当該化粧品の情報、量や太さや面積や位置などの情報が、ＰＣ１０１の記憶装置などに記憶されている。具体的には、化粧モード「お姉系」には、ファンデーションの色彩は白め、アイラインの太さは太め、マスカラの量は多め、チークパウダーの量は薄めで面積は狭く位置は頬の高めの位置、などの情報が記憶されている。
【０１２８】
ステップＳ２０６において、ＰＣ１０１のＣＰＵは、ステップＳ２０５で受付けた化粧モードに応じて、記憶装置などから、化粧箇所ごとに化粧品の種類などの情報を読出す。さらに、化粧処理を行なう撮影画像の顔領域から、化粧領域に該当する目領域などを、画像解析などを行なって抽出し、抽出された領域に、当該化粧品の色彩あるいは質感などを施すように化粧処理を行なう。ここでの処理については、上述のマニュアルモードでの処理と同様であるため、説明を繰返さない。
【０１２９】
なお、ステップＳ２０６において化粧処理を自動的に行なう際、その処理過程を、化粧画面２００ｄにおいて表示することが好ましい。すなわち、化粧画面２００ｄにおいて、実際に化粧を行なう順に、例えば、始めに、下地指定ボタン２４０を選択状態に表示して、化粧ツール選択ボタン２５０に、下地化粧において用いる「パウダーファンデーション」などの化粧ツールを表示し、当該化粧処理に用いている化粧ツールを選択状態に表示する。そして、下地化粧が終了すると、順次、次の化粧箇所の化粧処理を、化粧画面２００ｄにおいて表示しながら実行することが好ましい。
【０１３０】
その際、詳細表示領域２６０に、当該化粧ツールで用いている化粧品のブランド名や商品番号や価格などの情報が表示されることが好ましい。さらに、詳細表示領域２６０に、当該商品についてのさらに詳細な情報や、当該商品の広告や、当該商品を取扱っている店舗の紹介などが表示されてもよい。さらに、当該化粧品を用いて、当該化粧処理のような化粧を実際に行なう場合の化粧方法やアドヴァイスなど表示してもよい。
【０１３１】
ステップＳ２０６における化粧処理が終了すると、自動的に、図２０に具体例が示される落書画面をタブレットディスプレイ１３に表示し、ユーザ１５からの落書操作を受付ける（Ｓ２０７）。ここでの落書処理については、上述のマニュアルモードでの落書処理と同様であるため、説明を繰返さない。
【０１３２】
以上で、図２１に示されるオートモード処理を終了し、処理を図１０のステップＳ６に戻す。
【０１３３】
本写真自動販売機においてこのようなオートモード処理を実行することによって、ユーザ１５は所望するイメージに近い化粧をされた顔の写真を得ることができ、失敗せずに自分に似合う化粧方法を知ることができる。
【０１３４】
次に、上述のステップＳ８で印刷され、プリント取出口９よりユーザ１５に提供する印刷媒体について、具体例を挙げて説明する。本写真自動販売機においては、撮影画像と共に、当該撮影画像に施した化粧処理に用いた化粧品の情報も紙やシールなどの印刷媒体に印刷して提供することを特徴とする。
【０１３５】
具体的には、図２４に示すように、化粧処理および落書処理を施した撮影画像１つを印刷媒体中央に大きく表示し、その周囲に当該化粧処理に用いた化粧品の属性情報の詳細を表示して印刷した印刷媒体を提供することができる。化粧品の属性情報としては、当該化粧品の商品面、商品番号、ブランド名、および価格などの情報が該当する。また、当該化粧品を取扱っている販売店の情報や、当該化粧品に関連する他の化粧品の情報などを表示してもよい。
【０１３６】
本写真自動販売機においてこのように印刷された印刷媒体を提供することで、ユーザは、自分にあった化粧品や化粧方法などのアドバイスをその場で容易に入手することができ、化粧に不慣れな場合であっても、自分に最適な化粧品や化粧方法の情報を得ることができる。また、撮影画像が大きいため化粧箇所が分かりやすく、ユーザにとって化粧箇所や化粧状態を見やすく印刷された印刷媒体を提供することができる。さらに、化粧品の属性情報も具体的に表示されているため、ユーザはどの化粧品を用いたらどのような顔になるのかを一目で把握することができる。また、その化粧品を気に入って購入したい場合にも、このように印刷された印刷媒体を持って化粧品販売店へ行くことで、間違いなく当該化粧品を購入することができて便利である。
【０１３７】
また、提供する印刷媒体の他の具体例として、図２５に示すような、化粧処理および落書処理を施した撮影画像であって表示サイズの小さい複数の撮影画像と、各撮影画像の化粧処理に用いた化粧品の属性情報を表示して印刷した印刷媒体を提供することができる。
【０１３８】
本写真自動販売機において、このように表示する撮影画像のサイズを小さくすることで、１つの印刷媒体に複数の撮影画像を表示することができる。このため、撮影回数を多くすることや、印刷する撮影画像の種類を増やすことや、複数人による撮影を可能にすることができ、よりユーザの満足度を高めることができる。
【０１３９】
なお、この場合、提供する印刷媒体の、当該撮影画像を表示した領域の印刷媒体がシールであって、化粧品の属性情報を表示した領域の印刷媒体が紙であってもよい。このようにすることで、印刷媒体がシールである領域に表示されている撮影画像を、従来の写真自動販売機で提供される印刷媒体と同様に、友人などと切り分けることができ、印刷媒体が紙である領域に表示されている化粧品の属性情報を持って化粧品販売店に行くなどの活用ができる。
【０１４０】
さらに、図２４に示すように、用いた化粧品ごとのアドバイスナンバーと、所定のウェブサイトへアクセスするためのアドレスとを表示することで、図２６に具体例を示す当該ウェブサイトにおいて、アドバイスナンバーごとに、より詳細な情報や当該化粧品を用いて実際に化粧を行なう際のアドバイスなど、ユーザに有用な情報を提供することができる。また、ウェブサイトを用いて情報を提供することで、印刷媒体に表示するよりも多くの情報を提供することができる。
【０１４１】
また、提供する印刷媒体の他の具体例として、図２７に示すような、化粧処理および落書処理を施した複数の撮影画像と、各撮影画像ごとに割振られた画像ナンバーと、所定のウェブサイトへアクセスするためのアドレスとを表示して印刷した印刷媒体を提供することもできる。そして、図２６に具体例を示す当該ウェブサイトにおいて、画像ナンバーごとに、より詳細な情報や当該化粧品を用いて実際に化粧を行なう際のアドバイスなど、ユーザに有用な情報を提供することができる。また、画像ナンバーに替えて、各撮影画像ごとに割振られた所定のウェブサイトへアクセスするためのアドレスを表示して印刷した印刷媒体を提供することもできる。その場合には、当該ウェブサイトにおいて、当該画像に対する化粧処理に用いた化粧品に関するより詳細な情報や当該化粧品を用いて実際に化粧を行なう際のアドバイスなど、ユーザに有用な情報を提供することができる。
【０１４２】
本写真自動販売機において、このような詳細な化粧品の属性情報を表示せずその情報を提供するウェブサイトへのアクセス情報を属性情報として表示して印刷した印刷媒体を提供することで、１つの印刷媒体にさらに多くの撮影画像を表示することができる。このため、撮影回数をさらに多くすることや、印刷する撮影画像の種類をさらに増やすことや、複数人による撮影を可能にすることができ、よりユーザの満足度を高めることができる。
【０１４３】
また、提供する印刷媒体の他の具体例として、図２８に示すような、化粧処理および落書処理を施した撮影画像と、各撮影画像の化粧処理に用いた化粧品の属性情報とを対にして表示して印刷した印刷媒体を提供することもできる。
【０１４４】
本写真自動販売機においてこのような印刷媒体を提供することで、ユーザは撮影画像と化粧品の属性情報との１組の表示を容易に切り分けることでき、複数人において容易に配布することができる。このため、撮影画像と化粧品の属性情報との対は、図２８に示されるように、４方向に分かれて表示されていることが好ましい。さらに、切り分けを容易にするために、図２８に示されるような切取り線を表示して印刷することも好ましい。また、より詳細な情報をユーザに提供するため、化粧品の属性情報としてさらにアドバイスナンバーと情報を提供するウェブサイトへのアクセス情報を表示することが好ましい。
【０１４５】
また、印刷媒体への印刷方向は、上述の図２４，２５，２７，２８に具体例が示されているような、従来の横長方向に限定されず、図２９に示すように、用紙を縦長においた方向であってもよい。このような印刷媒体の方向は、予め写真自動販売機で設定されているものであってもよいし、ユーザからの指示を受付けて変更可能であってもよい。また、その長さが可変であってもよい。このような印刷方向の変更は、プリンタ１２に送出する印刷データを必要に応じて９０°回転させることで実現できる。
【０１４６】
このように、印刷媒体を縦長に使用することにより、本来写真自動販売機で目的とされていたより多くの写真画像を印刷するという目的を達成することが可能になる。さらに、撮影回数や選択された撮影画像の種類やユーザの人数など、表示する撮影画像の数に応じて、印刷媒体への印刷方向を横長／縦長と変化させてもよい。
【０１４７】
［変形例１］
第１の変形例として、本写真自動販売機が２つのタブレットペン１４を備える場合に、図１４に示すマニュアルモードでのプレイ方法として、複数のユーザ１５が左右のタブレットペン１４を用いて、図３０に示される化粧画面２００に表示される１つの撮影画像の、各々の顔領域に対して化粧操作を行なうプレイ方法が挙げられる。
【０１４８】
この場合、ステップＳ１０５での化粧処理に先立って、各タブレットペン１４と、当該各タブレットペン１４を用いて化粧操作を行なう対象とする被写体の顔領域とを対応付ける処理を行なう。
【０１４９】
このタブレットペン１４と被写体とを対応付ける処理は、ここでは限定されるものではないが、具体例として、予め各タブレットペン１４で、対応付ける被写体の顔領域の１箇所をタッチすることで、当該部分を含む顔領域を画像解析することで抽出して対応付ける処理が挙げられる。また、予め化粧処理を行なう撮影画像を画像解析することで複数の被写体の顔領域を抽出し、ステップＳ１０５の処理に先立ってタブレットディスプレイ１３にタブレットペン１４と被写体とを対応付けるためにユーザ１５に入力させるための指定画面を表示して、ユーザ１５から、どちらのタブレットペン１４でどちらの顔領域の化粧操作を行なうかの入力を受付けてもよい。
【０１５０】
タブレットペン１４と被写体とを対応付けがなされると、ＰＣ１０１は、各タブレットペン１４で操作された化粧処理の結果を別々にメモリに格納する。そして、ステップＳ８では、各タブレットペン１４で操作された化粧処理の結果を各々メモリから読出し、図３１に示すような、各タブレットペン１４で操作された化粧処理に用いられた化粧品の属性情報と、当該タブレットペン１４との対応がわかるように表示して印刷した印刷媒体を提供する。
【０１５１】
第１の変形例での本写真自動販売機においては、このような処理を行なうことで、化粧操作を行なったタブレットペンごとの操作内容に基づいた化粧品の属性情報が表示される。そのため、複数のタブレットペン１４で複数の被写体の顔画像に対して化粧操作を行なう場合に、各タブレットペン１４との対応がわかるように化粧品の属性情報が表示され、複数のユーザで化粧処理を行なった場合であっても、各々の化粧品の属性情報を把握しやすくなる。
【０１５２】
［変形例２］
本写真自動販売機では、撮影画像と共に、当該撮影画像に施された化粧処理に用いた化粧品の属性情報も提供することから、印刷媒体に表示する情報が撮影画像のみの従来の写真自動販売機での印刷媒体と比較して多い。このようなより多くの情報を表示しながら、従来の写真自動販売機と同様に多くの撮影画像をステップＳ７で選択された印刷レイアウトにしたがって表示するために、第２の変形例における写真自動販売機は、ステップＳ８で次のような印刷媒体の印刷を行なうことを特徴とする。
【０１５３】
すなわち、第２の変形例における写真自動販売機は、図２４，２５，２７，２８，２９に具体例が示されたような、撮影画像と化粧品の属性情報とが表示された第１の印刷媒体と、図３２に示すような、撮影画像のみが印刷レイアウトにしたがって表示された第２の印刷媒体とを印刷することを特徴とする。
【０１５４】
第２の変形例における写真自動販売機で、このように第１の印刷媒体と第２の印刷媒体とを印刷することによって、第１の印刷媒体ではユーザに化粧品の属性情報を具体的に提供することができ、第２の印刷媒体では多くの撮影画像を提供することができる。このため、ユーザは化粧品の属性情報も撮影画像も、十分に活用することができる。
【０１５５】
第２の変形例のように、ステップＳ８において複数枚の印刷媒体に印刷を行なうことは、プリンタ１２で連続して印刷媒体に印刷処理を行なうことで実現することができる。すなわち、ＰＣ１０１のＣＰＵが、撮影画像と化粧品情報との印刷データと、印刷レイアウトにしたがった撮影画像の印刷情報とを連続してプリンタ１２に送出して印刷を実行させることで実現することができる。
【０１５６】
しかしながら、１つのプリンタ１２で複数の印刷媒体に印刷処理を実行させる場合には、１枚の印刷媒体に印刷処理を実行させる場合と比較して印刷時間を要してしまい、ユーザ１５の待ち時間が増加してしまうという問題もある。
【０１５７】
このようなユーザの待ち時間を増加させずに複数の印刷媒体に印刷処理を行なうために、第２の変形例における写真自動販売機は、複数のプリンタ１２ａ，１２ｂを備えることが好ましい。そして、１つのプリンタ１２ａにおいてシールである印刷媒体に撮影画像のみを印刷し、他のプリンタ１２ｂにおいてシールである印刷媒体、あるいは紙である印刷媒体に、図３３に示すような化粧品の属性情報を印刷することが好ましい。このとき、ユーザのプレイ方法が第２の変形例に示したような複数のユーザによる複数のタブレットペン１４を用いた化粧操作を行なったプレイ方法である場合には、図３３に示すように、タブレットペン１４ごとに、当該タブレットペン１４を用いて行なった化粧処理に用いた化粧の属性情報を表示することがより好ましい。
【０１５８】
さらに、第２の変形例における写真自動販売機の筐体１を正面（撮影ブース４内方向）から見た具体例を図３４に示す。図３４を参照して、第２の変形例における写真自動販売機は、撮影画像のみが印刷されたシールである印刷媒体を提供するためのプリント取出口９と、化粧品の属性情報が印刷されたシールである印刷媒体、あるいは紙である印刷媒体を提供するためのプリント取出口９ａとを備える。
【０１５９】
第２の変形例における写真自動販売機が、複数のプリンタ１２ａ，１２ｂを備えて複数の印刷媒体に印刷を行なうことで、ユーザの待ち時間を増加させることなく、多くの情報をユーザに提供することができる。
【０１６０】
なお、従来より、このような印刷処理の待ち時間に、ユーザ１５に対してゲームなどの遊戯を提供することがなされているが、本実施の形態においては、上述のように、ステップＳ９，Ｓ１０において、口コミ入力処理やランキング入力処理などを受付けることを特徴とする。
【０１６１】
すなわち、ステップＳ８において印刷を開始すると、ステップＳ９で、図３５に具体例を示すような口コミ入力あるいはランキング入力を選択する選択画面をタブレットディスプレイ１３に表示して、ユーザ１５からいずれかの入力を行なうか否かを受付ける。なお、このときどちらの入力も行ないたくない場合には、図３５に示される選択画面においていずれの選択肢にもタッチせずにそのまま印刷完了を待つことができる。
【０１６２】
ステップＳ９で口コミ入力を選択した場合には、ステップＳ１０では図３６に具体例が示される口コミ入力画面をタブレットディスプレイ１３に表示して、ユーザ１５からの入力を受付ける。また、ステップＳ９でランキング入力を選択した場合には、ステップＳ１０では図３７に具体例が示されるランキング入力画面をタブレットディスプレイ１３に表示して、ユーザ１５からの入力を受付ける。
【０１６３】
図３６および図３７を参照して、口コミ入力画面およびランキング入力画面においては、具体的な化粧品に対する評価の入力をタブレットペン１４で受付ける。また、ランキング入力画面では、さらに点数の入力も受付ける。
【０１６４】
ステップＳ１０で受付けた情報は、ＰＣ１０１の記憶装置などに所定期間蓄積される。そして、ランキング情報は、所定期間ごとにＣＰＵにおいて統計解析処理がなされ、全化粧品について、あるいは所定のカテゴリ（口紅、ファンデーションなど）ごとにその点数に基づいてランキングが作成される。また、当該写真自動販売機が通信機能を備えている場合には、他の写真自動販売機に蓄積された情報にも基づいてランキングを作成してもよい。
【０１６５】
このように作成されたランキングや入力された口コミ情報を、外部の装置（例えば化粧品メーカーの装置など）に提供してもよい。また、図２４などに具体例が示された印刷媒体に印刷することも好ましい。また、ランキングや口コミ情報に基づいて、図１７に示す化粧画面において、人気の高い化粧品の情報を提供することも好ましい。また、図２１に示されたオートモード処理において用いる化粧品を、ランキングや口コミ情報に基づいて決定してもよい。
【０１６６】
また、図１４に示されたマニュアルモード処理においてユーザから選択された化粧品の情報をＰＣ１０１の記憶装置などに蓄積し、その情報に基づいたランキングを作成することも好ましい。また、マニュアルモード処理においてユーザから選択された化粧品の情報に基づいたランキングの情報を、外部の装置（例えば化粧品メーカーの装置など）に提供することも好ましい。
【０１６７】
さらにＰＣ１０１のＣＰＵは、作成されたランキングや各化粧品についての口コミ情報に基づいて、図３８に具体例が示されるようなランキングデモ画面や、図３９に具体例が示されるような口コミデモ画面を作成し、ステップＳ１においてコインの投入を待つ間にディスプレイ１３に表示する。このようなデモ画面によって、これからプレイを行なうユーザ１５に人気のある化粧品の情報を提供することができ、プレイをより充実したものにすることができる。
【０１６８】
［変形例３］
本写真自動販売機で提供される印刷媒体に表示されている化粧品の属性情報をより有効に活用するため、第３の変形例における写真自動販売機は化粧品販売機を備えることを特徴とする。第３の変形例における写真自動販売機の筐体１を正面（撮影ブース４内方向）から見た具体例を図４０に示す。図４０を参照して、第３の変形例における写真自動販売機は、化粧品販売機２０をさらに備えることを特徴とする。
【０１６９】
本写真自動販売機は、撮影画像に対する化粧処理に用いた化粧品の具体的な商品名などの属性情報を撮影画像と共に提供するため、その化粧品情報に基づいて、プレイ後のユーザ１５は、その場で化粧品を購入することができて便利である。また、写真自動販売機でのプレイにおいて、ステップＳ１０５あるいはＳ２０６の化粧処理終了後に、用いた化粧品の購入を行なうか否かの入力をユーザ１５から受付けて、ステップＳ８で印刷された印刷媒体と共に化粧品販売機２０から当該化粧品の提供を行なってもよい。また、図２４などに示されるように、撮影画像と共に提供される化粧品の属性情報に商品番号が含まれる場合には、化粧品販売機２０は商品番号を付して化粧品を販売し、印刷媒体に印刷された商品番号に基づいて当該化粧品が購入できるようになっていてもよい。なお、化粧品販売機２０において販売される化粧品は、本写真自動販売機の利用者である女子中高生である場合が多いため、実際の商品である化粧品に限定されず、そのサンプルなど一般の化粧品販売店で販売している化粧品よりも少量の化粧品を安価あるいは無料で提供することが好ましい。
【０１７０】
［変形例４］
第４の変形例として、上述の図１０，図１４および図２１に示される処理を、複数の写真自動販売機において実行する場合について述べる。この場合、第１の写真自動販売機において、図１０，図１４および図２１に示される処理のうち、ステップＳ１０５あるいはステップＳ２０５，Ｓ２０６に示される化粧処理以外の処理を実行する。すなわち、従来の写真自動販売機と同様に、写真撮影を行ない、当該撮影画像に対して落書処理を行なう。
【０１７１】
そして、第２の写真自動販売機において、落書処理が施された撮影画像に対して化粧処理を実行して印刷を行なう。その場合、化粧処理を行なう第２の写真自動販売機は、必ずしもカメラ２１などの撮影手段を備える必要はなく、第１の写真自動販売機から落書処理が施された撮影画像を取得する手段と、当該撮影画像に対して化粧処理を行なう手段と、化粧処理が施された撮影画像を印刷する手段とを含んで構成されていればよい。
【０１７２】
第４の変形例において、ユーザ１５は、通常の写真自動販売機である第１の写真自動販売機で写真撮影を行なった後に落書処理を行なう。そして、落書処理が施された撮影画像を、第２の写真自動販売機に送信するよう指示する。あるいは、一端、磁気カードなどの記録媒体に落書処理が施された撮影画像を記録させ、当該記録媒体を第２の写真自動販売機に読込ませてもよい。なお、化粧処理を所望しないユーザ１５は、ここで印刷を指示することで、従来の写真自動販売機と同様に、落書処理が施された撮影画像を印刷することができる。
【０１７３】
次に、第２の写真自動販売機において、落書処理が施された撮影画像に対して化粧処理を実行させる。そして、印刷を指示することで、化粧処理が施された撮影画像を印刷することができる。
【０１７４】
なお、各々の処理については、上に述べた処理と同様であるため、ここでの説明は繰返さない。
【０１７５】
第４の変形例において写真自動販売機が上述のように構成されることで、従来からある写真自動販売機で作成された画像データを第２の写真自動販売機に読込ませることで、撮影画像に対して化粧処理を行なうことができ、すでに従来の写真自動販売機を設置している店舗であっても第２の写真自動販売機を加えるだけで、ユーザに、化粧処理された写真と当該化粧処理に用いた化粧品の属性情報とを提供することができる。
【０１７６】
［変形例５］
上述の図１４あるいは図２１に示されるマニュアルモード処理あるいはオートモード処理においては、撮影処理を行なった画像（撮影画像）に対して化粧処理を行なう処理が示されているが、処理順はこの順に限定されるものではない。すなわち、第５の変形例における写真自動販売機では、図４１のフローチャートに示される他のマニュアルモード処理の具体例のように、先にカメラ２１から取込まれる画像をリアルタイムにモニタ２２とタブレットディスプレイ１３とに表示し（Ｓ３００）、また、図１７に示されるような化粧画面も表示し、当該タブレットディスプレイ１３にリアルタイムに表示されるカメラ２１から取込まれる画像に対して、化粧操作を受付ける（Ｓ３０１）。このとき、タブレットディスプレイ１３に表示されるカメラ２２から取込まれた画像に対して化粧操作をしやすいように、化粧操作中には一時的にカメラ２２からの画像の取込みを中止し、その時点の取込み画像をタブレットディスプレイ１３に表示してもよい。
【０１７７】
ここでの化粧画面や化粧操作は上に記載したものと同様であるため、説明を繰返さない。
【０１７８】
ステップＳ３０１での化粧操作が終了すると、カメラ２２から取込まれる画像に対して化粧処理を施し、化粧処理を施した画像をタブレットディスプレイ１３に表示する（Ｓ３０２）。上述のＳ３０２の化粧処理を、カメラ２２からリアルタイムに取込まれる画像に対して所定の間隔で繰返し行ない、タブレットディスプレイ１３に表示する。この所定間隔を極めて短い時間間隔にすることで、カメラ２２から取込まれる画像に対してリアルタイムに化粧処理を施しタブレットディスプレイ１３に表示されるようにすることができる。
【０１７９】
そして、図１５に具体例が示されたような撮影開始指示画面をタブレットディスプレイ１３に表示し、ユーザ１５から撮影開始の指示の入力を待つ（Ｓ３０３）。ユーザ１５から撮影開始の指示を受付けると（Ｓ３０４でＹＥＳ）、被写体を撮影し（Ｓ３０５）、ステップＳ３０５で撮影された撮影画像であって、ステップＳ３０１でなされた化粧処理を施した撮影画像を表示する。上述のステップＳ３０３〜Ｓ３０５の処理を規定の回数（あるいは時間など）に達するまで繰返し、撮影を繰返し行なう（Ｓ３０６）。
【０１８０】
以降は、上述のマニュアルモード処理、あるいはオートモード処理と同様に、撮影された撮影画像の中から所望する撮影画像を選択し、選択された画像に対して落書処理を行なう。
【０１８１】
第５の変形例における写真自動販売機において、このようにカメラ２２から取込まれてリアルタイムに表示される画像に対して先に化粧処理を行なうことで、ユーザ１５は、化粧した状態で気に入ったポーズの写真を撮影することができる。
【０１８２】
また、上述のように、リアルタイムに表示された画像に対して先に化粧を施して撮影された静止画像に対し、さらに上述の静止画像に対する化粧が行なえるようにしてもよい。この場合、静止した画像を見ながら細かな部分にゆっくりと化粧を施すことが可能になる。
【０１８３】
さらに、上述の写真自動販売機が行なう化粧処理である画像処理方法や、化粧品の属性情報の提供方法を、プログラムとして提供することもできる。このようなプログラムは、コンピュータに付属するフレキシブルディスク、ＣＤ−ＲＯＭ、ＲＯＭ、ＲＡＭ（Ｒａｎｄｏｍ  Ａｃｃｅｓｓ  Ｍｅｍｏｒｙ）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１８４】
提供されるプログラム製品は、ハードディスクなどのプログラム格納部にインストールされて実行される。なお、プログラム製品は、プログラム自体と、プログラムが記録された記録媒体とを含む。
【０１８５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本実施の形態における写真自動販売機の外観の具体例を示す図である。
【図２】本実施の形態における写真自動販売機の筐体１を、正面（撮影ブース４内方向）から見た具体例を示す図である。
【図３】本実施の形態における写真自動販売機の筐体１を、背面（落書きブース５３方向）から見た具体例を示す図である。
【図４】本実施の形態における写真自動販売機の筐体１を、正面（撮影ブース４内方向）から見た他の具体例を示す図である。
【図５】本実施の形態における写真自動販売機の筐体１を、正面（撮影ブース４内方向）から見た他の具体例を示す図である。
【図６】本実施の形態における写真自動販売機の筐体１を、正面（撮影ブース４内方向）から見た他の具体例を示す図である。
【図７】本実施の形態における写真自動販売機の筐体１を、正面（撮影ブース４内方向）から見た他の具体例を示す図である。
【図８】本実施の形態における写真自動販売機の筐体１を、正面（撮影ブース４内方向）から見た他の具体例を示す図である。
【図９】本実施の形態における写真自動販売機の機能を示すブロック図である。
【図１０】本実施の形態における写真自動販売機での処理を示すフローチャートである。
【図１１】モード選択画面の具体例を示す図である。
【図１２】明るさ調整画面の具体例を示す図である。
【図１３】印刷レイアウト選択画面の具体例を示す図である。
【図１４】マニュアルモード処理を示すフローチャートである。
【図１５】撮影開始指示画面の具体例を示す図である。
【図１６】写真選択画面の具体例を示す図である。
【図１７】化粧画面２００の具体例を示す図である。
【図１８】化粧画面２００ｂの具体例を示す図である。
【図１９】化粧画面２００ｃの具体例を示す図である。
【図２０】落書画面の具体例を示す図である。
【図２１】オートモード処理を示すフローチャートである。
【図２２】化粧選択画面の具体例を示す図である。
【図２３】化粧画面２００ｄの具体例を示す図である。
【図２４】印刷された印刷媒体の具体例を示す図である。
【図２５】印刷された印刷媒体の他の具体例を示す図である。
【図２６】ウェブサイトの具体例を示す図である。
【図２７】印刷された印刷媒体の他の具体例を示す図である。
【図２８】印刷された印刷媒体の他の具体例を示す図である。
【図２９】印刷媒体への印刷方向の他の具体例を示す図である。
【図３０】化粧画面２００の他の具体例を示す図である。
【図３１】印刷された印刷媒体の他の具体例を示す図である。
【図３２】印刷された第２の印刷媒体の具体例を示す図である。
【図３３】他のプリンタ１２ｂで印刷された印刷媒体の具体例を示す図である。
【図３４】第２の変形例における写真自動販売機の筐体１を、正面（撮影ブース４内方向）から見た具体例を示す図である。
【図３５】口コミ入力あるいはランキング入力を選択する選択画面の具体例を示す図である。
【図３６】口コミ入力画面の具体例を示す図である。
【図３７】ランキング入力画面の具体例を示す図である。
【図３８】ランキングデモ画面の具体例を示す図である。
【図３９】口コミデモ画面の具体例を示す図である。
【図４０】第３の変形例における写真自動販売機の筐体１を、正面（撮影ブース４内方向）から見た具体例を示す図である。
【図４１】他のマニュアルモード処理の具体例を示すフローチャートである。
【符号の説明】
１  筐体、１２，１２ａ，１２ｂ  プリンタ、１３，１３ｂ，１３ｃ，１３ｄディスプレイ、タブレットディスプレイ、１４，１４ｂ，１４ｃ  タブレットペン、１５  ユーザ、２０  化粧品販売機、２１  カメラ、２２  モニタ、１０１  パーソナルコンピュータ、１０２  制御部、２００，２００ｂ，２００ｃ，２００ｄ  化粧画面。
【図１】
2004228888.tif 000003
【図２】
2004228888.tif 000004
【図３】
2004228888.tif 000005
【図４】
2004228888.tif 000006
【図５】
2004228888.tif 000007
【図６】
2004228888.tif 000008
【図７】
2004228888.tif 000009
【図８】
2004228888.tif 000010
【図９】
2004228888.tif 000011
【図１０】
2004228888.tif 000012
【図１１】
2004228888.tif 000013
【図１２】
2004228888.tif 000014
【図１３】
2004228888.tif 000015
【図１４】
2004228888.tif 000016
【図１５】
2004228888.tif 000017
【図１６】
2004228888.tif 000018
【図１７】
2004228888.tif 000019
【図１８】
2004228888.tif 000020
【図１９】
2004228888.tif 000021
【図２０】
2004228888.tif 000022
【図２１】
2004228888.tif 000023
【図２２】
2004228888.tif 000024
【図２３】
2004228888.tif 000025
【図２４】
2004228888.tif 000026
【図２５】
2004228888.tif 000027
【図２６】
2004228888.tif 000028
【図２７】
2004228888.tif 000029
【図２８】
2004228888.tif 000030
【図２９】
2004228888.tif 000031
【図３０】
2004228888.tif 000032
【図３１】
2004228888.tif 000033
【図３２】
2004228888.tif 000034
【図３３】
2004228888.tif 000035
【図３４】
2004228888.tif 000036
【図３５】
2004228888.tif 000037
【図３６】
2004228888.tif 000038
【図３７】
2004228888.tif 000039
【図３８】
2004228888.tif 000040
【図３９】
2004228888.tif 000041
【図４０】
2004228888.tif 000042
【図４１】
2004228888.tif 000043